(57)【要約】【課題】  金属製又はアルミニウム製で出来ている窓枠の空洞部を利用した防犯ネジコマ錠付き窓枠を提供する。【解決手段】  ２枚の窓枠の空洞部にメネジを取付け、ネジコマにて回し締め、２枚の窓枠を固定した時ネジコマ全体が空洞部内に収納する事を特徴とする防犯ネジコマ錠付き錠付き窓枠。【選択図】  図１
2005273437.tif 000002
【特許請求の範囲】
【請求項１】
少なくても、窓枠は金属製又はアルミニウム製で作られている窓枠で、窓枠の内側は、空洞になっている窓枠である、その窓枠と窓枠を開いた時、２枚の窓枠がかさね合う、後部に当たる窓枠の１部に穴をあけ、穴をあけたその部分の空洞部に、メネジを取付け、その２枚の窓枠のメネジとメネジにネジコマを回し締め、２枚の窓枠が固定した時、ネジコマ全体が窓枠の空洞部の内側に収納することを特徴とする防犯ネジコマ錠付き窓枠。
【発明の詳細な説明】
【技術分野】
【０００１】  本発明は金属製又はアルミニウム製で、出来ている窓枠の空洞部にメネジとメネジを取付た、防犯ネジコマ錠付窓枠に関するものである。
【背景技術】
【０００２】  従来、木枠の窓枠には（図７）（図８）に示すような丸球締錠があり、また、金属製又はアルミニウム製の窓枠には（図９）（図１０）に示すようなクレセント錠があった。
【発明の開示】
【発明が解決しようとする課題】
【０００３】  そのために、次のような問題点があった。
（イ）木枠で作られている窓枠は、外部進入者に窓枠に、はめこまれているガラス等を壊されると木材の表に出ている丸球締のつまみの部分が、簡単につまんで回し、ゆるめられて外されてしまう。
（ロ）金属製又はアルミニウム製で作られている窓枠は外部進入者に窓枠にはめこまれている、ガラス等を壊されると、窓枠に取付られているクレセント錠は簡単に外されてしまう。
本発明は、これらの問題点を解決するためになされたものである。
【問題を解決するための手段】
【０００４】  金属製又はアルミニウム製で出来ている窓枠の空洞部にメネジを取付る。ネジコマ（図５）を鍵（図４）で、２枚の窓枠に取付られている。メネジを回し、締め合わせた時、ネジコマ全体が窓枠の空洞部の中に収納してしまうことを特徴とする防犯コマネジ錠付き窓枠である。
【発明の効果】
【０００５】  （イ）金属製又はアルミニウム製の窓枠に取付けられたメネジに、ネジコマを回し込み、２枚の窓枠を締め合わせた時、ネジコマ全体が窓枠の空洞部の中に収納してしまう。その為に、外部進入者が窓枠にはめこまれているガラス等を壊してもネジコマ全体が窓枠の空洞部に収納されてしまうので鍵（図４）を使用しないと、他の工具を使用しても、簡単にはネジコマをゆるめる事が出来ない。
（ロ）又、ネジコマ（図５）の軸の部分は、三角形や図には示してないが、長方形、４角形、６角形というように複数の形にするのも可能であり、又、その複数の形の太さを厚くしたり、薄くすることも可能である。その事で外部進入者が、少数の合鍵を持ち合わせても、鍵をあわせるのが複雑になる事になる。
（ハ）又、当然ながら、鍵（図４）の（ロ）の溝は、ネジコマ（図５）の（ロ）の軸の形に合った溝を作らなければならない。
（ニ）木枠の窓枠には、ネジコマと同じような丸球締（図７）（図８）が有るがネジコマと丸球締との大きなちがいは、２枚の窓枠を締め合わせた時、丸球締は窓枠の表に、丸球締の一部が飛び出ていることであり、ネジコマの場合は窓枠の空洞部の中に収納してしまうため、丸球締とはちがう効果がある。
【発明を実施するための最良の形態】
【０００６】以下、本発明の実施の形態に付いて説明する。
（イ）金属製又はアルミニウムで作られている窓枠の空洞部に、錠を取付た窓枠であって（図２）で示すように窓枠の横板（１Ａ）と（１Ｂ）（２Ａ）の１部（通常は横板の上下中心部）に穴を明ける（１Ａ、１Ｂ，２Ａの穴の中心部が同じ位になるようにあける）その穴を明けた場所にメネジ（３）、（４）、パイプ（６）を取付ける。
横板（１Ａ）にはメネジ（３）を空洞部（７）側に取付、横板（１Ｂ）にはパイプ（５）を空洞部（７）側に取付、横板（２Ａ）にはメネジ（４）を空洞部（８）側に取付ける。
（ロ）ネジコマ（５）は窓枠１のメネジ（３）側から、パイプ（６）に、ネジコマ（５Ａ）がパイプ（６）に差し込まれるように、回し込んで置く。
（ハ）ネジコマ（５）をメネジ（３）とメネジ（４）に回し締る時は、鍵（９）でネジコマ（５Ａ）に合った（９Ｂの溝）の鍵を使用し、パイプ（６）より差し込み、ネジコマを回し締める。
（ニ）ネジコマ（５）が鍵（９）で回し込まれた時、ネジコマ（５）がメネジ（３）を通過しないようにメネジ（４）に壁（４Ｂ）を取付ける。
（ホ）ネジコマ（５）をメネジ（４）より、鍵（９）で回しハズシタ時、ネジコマ（５）がメネジ（３）を通過し、ネジコマ全体がパイプ（６）の中に収納しないようにパイプ（６）の内径の太さは、ネジコマの外経より少し短くする。
（ヘ）パイプ（６）の長さは、ネジコマが鍵（９）よりメネジ（４）からハズシ、ネジコマの軸（５Ａ）がパイプ（６）の溝に進入しネジコマの外経がパイプ（６）の内径で、ストップをかけられた時、オネジの１部が、メネジ（３）の溝の中に固定される長さにする。
（ト）メネジ（３）（４）とパイプ（６）の窓材横板への取付方は、３Ｂ、３Ｃ、４Ｃ、４Ｄ、６Ｂ、６Ｃ、の次にネジ止め、もしくわ、鋲技による止め方、又は接着剤等によって固定してもよい、この場合は、３Ｂ、３Ｃ、４Ｃ、４Ｄ、６Ｄ、６Ｃの取付け穴を設ける必要がなく、更にコストを削減することが出来る。
（チ）鍵９のつまみ９（Ｂ）は図面４では折りたたみられるように示しているが９と９Ｂは１体でも良い。
【図面の簡単な説明】
【０００７】
【図１】  本発明の原理説明図
【図２】  実施例を示す側断面図
【図３】  実施側の使用を示す側断面図
【図４】  実施側の鍵を示す斜視図
【図５】  実施側のネジコマを示す斜視図
【図６】  実施側を説明する斜視図
【図７】  従来側を示す側断図
【図８】  従来側１の作用を示す側面図
【図９】  従来側２を示す側面図
【図１０】  従来側２の作用を示す側面図
【図１１】  窓枠１（イ）に取付るメネジ断面図
【図１２】  図１１の正面図
【図１３】  窓枠２に取付けるメネジ断面図
【図１４】  図１３の正面図
【図１５】  窓枠１（ロ）に取付けるパイプ断面図
【図１６】  図１５の正面図
【符号の説明】
【０００８】１Ａ、１Ｂ、２Ａ、２Ｂ窓枠横板
３、４                メネジ
５                    ネジコマ
６                    パイプ
７、８                空洞部
９                    鍵
【図１】
2005273437.tif 000003
【図２】
2005273437.tif 000004
【図３】
2005273437.tif 000005
【図４】
2005273437.tif 000006
【図５】
2005273437.tif 000007
【図６】
2005273437.tif 000008
【図７】
2005273437.tif 000009
【図８】
2005273437.tif 000010
【図９】
2005273437.tif 000011
【図１０】
2005273437.tif 000012
【図１１】
2005273437.tif 000013
【図１２】
2005273437.tif 000014
【図１３】
2005273437.tif 000015
【図１４】
2005273437.tif 000016
【図１５】
2005273437.tif 000017
【図１６】
2005273437.tif 000018